(57)【要約】第１の端部にガイドワイヤー（１０８）の連結コネクタ（１１２）を受容し、かつ第２の端部にインターフェースケーブル（１０４）を受容するように配置された本体（２００）と、該本体内の接触モジュール（３０２）であって、接触ハウジング（２０６）と接触ハウジング内に配置された複数の接触部（２１６）とを含む接触モジュールとを有し、複数の接触部が、インターフェースケーブルとガイドワイヤーとの電気通信のために構成される電気コネクタとアセンブリ（１００）が提供される。
2012524975.tif 000002
【特許請求の範囲】
【請求項１】
第１の端部にガイドワイヤーの連結コネクタと第２の端部にインターフェースケーブルとを受容するように構成および配置された本体と、
接触ハウジングと、該接触ハウジング内に配置された複数の接触部とを含み、該複数の接触部が、前記インターフェースケーブルと前記ガイドワイヤーとの電気的接続のために構成された、前記本体内の接触モジュールと、
を含み、
前記連結コネクタが、複数の軸方向の誘電部によって分離された複数の軸方向の導電部を含み、該軸方向の導電部の数が、前記接触モジュール内の前記接触部の数に一致し、
前記インターフェースケーブルが、監視制御装置との電気的接続のために構成および配置されることを特徴とする電気コネクタ。
【請求項２】
前記電気コネクタが、前記ガイドワイヤーを取り外し可能に受容するために構成および配置されることを特徴とする請求項１に記載の電気コネクタ。
【請求項３】
前記本体の内部にカムアクチュエータとカムとを更に含み、該カムアクチュエータが、該カムを部分的に回転させるために構成および配置され、前記カムが、部分的に回転する際に前記接触部に係合するために構成および配置され、これによって前記連結コネクタを前記接触モジュールに挿入できることを特徴とする請求項１に記載の電気コネクタ。
【請求項４】
前記カムが、前記本体の受容溝内に配置されるように構成された支点を含み、該受容溝が、該支点を受容するために構成および配置され、これによって前記カムアクチュエータが係合する際に前記カムを部分的に回転できることを特徴とする請求項３に記載の電気コネクタ。
【請求項５】
前記カムアクチュエータが、該カムアクチュエータを押し下げることによって手動で係合するように構成および配置されて、前記連結コネクタを前記本体に挿入でき、かつ押し下げられる際に前記カムを調節するために更に構成および配置され、
前記カムが、前記本体の受容溝内に設置するように構成された支点を含み、
前記受容溝が、前記支点を受容するために構成および配置されて、前記カムアクチュエータが係合する際に、前記カムが部分的に回転でき、
好ましくは、前記カムアクチュエータが、前記カムの突出部分であることを特徴とする請求項３に記載の電気コネクタ。
【請求項６】
前記カムが、ラッチング部材に取り外し可能に係合するために構成および配置されたラッチ留め具を更に含み、該ラッチング部材が、前記接触モジュールへの前記連結コネクタの完全な挿入の際に前記ラッチ留め具を取り外すために構成および配置されることを特徴とする請求項３に記載の電気コネクタ。
【請求項７】
前記接触ハウジングが、
前記接触部が、溝内部にスライドするために構成および配置された溝と、
前記接触部の上部を受容するように構成および配置された凹面部であって、前記接触部が、電気的接続のために導電性表面を備えた端子を含み、前記上部が、前記カムによって係合する際に曲がるように構成および配置されて、前記連結コネクタを前記接触モジュールに挿入できる凹面部と、
を含むことを特徴とする請求項１に記載の電気コネクタ。
【請求項８】
前記接触部が、
可撓性のある上部を備えた単一の一体化導電帯と、
前記接触ハウジングに固定された下部と、
を更に含み、
好ましくは、前記接触ハウジングが、前記接触部をスライドして受容するように構成および配置されることを特徴とする請求項１に記載の電気コネクタ。
【請求項９】
前記接触ハウジングが、
（ａ）接触した誘電性シェルによって前記接触部を受容し、かつ
（ｂ）接触部を確実に受容し、該接触部が意図せず取り外されることを実質的に防止するために構成および配置されることを特徴とする請求項１に記載の電気コネクタ。
【請求項１０】
連結コネクタを有するガイドワイヤーであって、該連結コネクタが、複数の軸方向の誘電部によって分離された複数の軸方向の導電部を含み、該軸方向の導電部の数が、前記接触モジュール内の前記接触部の数に一致し、前記ガイドワイヤーが、遠心端にセンサーを更に含み、該センサーが、人体内部の状態を測定するために構成および配置されたガイドワイヤーと、
監視制御装置に電気的に接続するために構成および配置されたインターフェースケーブルと、
前記ガイドワイヤーを前記インターフェースケーブルに接続する電気コネクタであって、
本体と、
接触モジュールであって、接触ハウジングと、前記インターフェースケーブルと前記ガイドワイヤーとの電気的接続のために前記接触ハウジング内に配置された複数の接触部とを含む接触モジュールと、
を含む電気コネクタと、
を含み、
前記本体が、前記電気コネクタの内部要素を保護するために構成および配置されることを特徴とする電気コネクタアセンブリ。
【請求項１１】
前記ガイドワイヤーが、該ガイドワイヤーの上に挿入されるカテーテルのために構成および配置されることを特徴とする請求項１０に記載の電気コネクタアセンブリ。
【請求項１２】
前記本体が、カムアクチュエータとカムとを含み、該カムが、前記接触部に係合するために構成および配置されて、前記接触モジュールへの前記連結コネクタの挿入を可能にし、これによって電気通信信号を前記ガイドワイヤーから前記インターフェースに伝達できることを特徴とする請求項１０に記載の電気コネクタアセンブリ。
【請求項１３】
接触モジュールを受容し、第１の端部にガイドワイヤーの皮下チューブと第２の端部にインターフェースケーブルとを受容するように構成および配置された本体と、
接触ハウジングと複数の接触部とを含み、該接触ハウジングが、該複数の接触部を受容するために構成および配置され、前記複数の接触部が、前記インターフェースケーブルと前記ガイドワイヤーとの電気的接続のために構成された前記接触モジュールと、
カムアクチュエータとカムとであって、該カムアクチュエータが、該カムを部分的に回転させるために構成および配置され、前記カムが、部分的に回転する際に前記接触部に係合するために構成および配置され、これによって前記連結コネクタを前記接触モジュールに挿入できるカムアクチュエータとカムと、
複数の軸方向の導電部と複数の軸方向の導電部とを含む前記皮下チューブと、
を含み、
前記インターフェースケーブルが、監視制御装置に電気的に接続するために構成および配置されることを特徴とする電気コネクタ。
【発明の詳細な説明】
【技術分野】
【０００１】
本願の開示は、電気コネクタアセンブリに関する。とりわけ、本願の開示は、電子監視制御ボックス（electrical monitoring and control box）にイメージングガイドワイヤー（imaging guide wire）を接続するためのアセンブリに関する。
【０００２】
人体内部の状態の測定を可能にする電子医療機器は、良く知られている。しばしば、これらの電子医療機器は、監視制御装置および監視制御システムに接続される。安全性、公衆衛生、利便性および効果のために、これらの医療機器への監視制御装置の接続は、監視制御装置から延在するケーブルを医療機器から延在するケーブルに電気的に接続することにより実施される。
【０００３】
既知のコネクタは、カテーテルのようなある種の医療機器とは適切に接続しない。カテーテルは、誘電部と導電部とを備えた繊細な部分を含み得る皮下チューブを含んでよい。これらの皮下チューブは、約１４/１０００インチ程度の薄さである場合がある。既知のコネクタは、これらの皮下チューブを破損するかもしれず、また、様々な導電部に伝達される電気信号を分離する信頼性が低いかもしれない。
【発明の概要】
【発明が解決しようとする課題】
【０００４】
従って、ケーブルと接続し、かつ皮下チューブと連結して機能することができる回転可能な電気コネクタと電気コネクタアセンブリとを提供することは、満たされていない要求である。
【０００５】
本願の開示は、ケーブルと接続し、かつ皮下チューブと連結して機能するように構成された回転可能な電気コネクタと電気コネクタアセンブリとを提供する。
【課題を解決するための手段】
【０００６】
１つの実施形態によれば、電気コネクタが、第１の端部にガイドワイヤーの連結コネクタを受容し、かつ第２の端部にインターフェースケーブルを受容するように構成および配置された本体と、接触ハウジング（contact housing）と接触ハウジング内に配置された複数の接触部とを含む、本体内の接触モジュール（contact module）とを含み、該複数の接触部が、インターフェースケーブルとガイドワイヤーとの電気的接続のために構成される。この実施形態では、連結コネクタが、複数の軸方向の誘電部によって分離された複数の軸方向の導電部を含み、軸方向の導電部の数が、接触モジュール内の接触部の数に一致し、インターフェースケーブルが、監視制御装置と電気的に接続するために構成および配置される。
【０００７】
他の実施形態によれば、電気コネクタアセンブリが、連結コネクタを有するガイドワイヤーであって、該連結コネクタが、複数の軸方向の誘電部によって分離された複数の軸方向の導電部を含み、軸方向の導電部の数が、接触モジュール内の接触部の数に一致し、ガイドワイヤーが、遠心端にセンサーを更に含み、該センサーが人体内部の状態を測定するために構成および配置されたガイドワイヤーと、監視制御装置と電気的に接続するために構成および配置されたインターフェースケーブルと、ガイドワイヤーをインターフェースケーブルに接続する電気コネクタとを更に含む。この実施形態では、電気コネクタが、本体と接触モジュールとを含み、該接触モジュールが、接触ハウジングと、インターフェースケーブルとガイドワイヤーとの電気的接続のために接触ハウジング内に配置された複数の接触部と、を含む。前記本体は、電気コネクタの内部要素を保護するために構成および配置される。
【０００８】
更なる他の実施形態によれば、電気コネクタは、接触モジュールを受容し、かつ第１の端部にガイドワイヤーの皮下チューブと第２の端部にインターフェースケーブルとを受容するように構成および配置された本体と、接触モジュールと、カムアクチュエータと、カムとを含む。この実施形態では、接触モジュールは、複数の接触部を受容するように構成および配置された接触ハウジングと、インターフェースケーブルとガイドワイヤーとの電気的接続のために構成された複数の接触部とを含む。カムアクチュエータは、カムを部分的に回転させるために構成および配置され、カムは、部分的に回転して接触部に係合するために構成および配置されて、これによって連結コネクタを接触モジュール内に挿入できる。皮下チューブは、複数の軸方向の導電部と複数の軸方向の誘電部とを含み、インターフェースケーブルは、監視制御装置と電気的に接続するために構成および配置される。
【０００９】
本願の開示の利点は、カテーテルの回転動作を可能にし、従って医師が、医療機器を操作する更なる能力を有することができることである。
【００１０】
本願の開示の別の利点は、アセンブリによってより長いケーブルを医療機器に用いることができることである。
【００１１】
本願の開示の更なる別の利点は、皮下チューブとコネクタとの相互運用性である。
【００１２】
本願の開示の更なる別の利点は、コネクタの減少した製造コストである。
【００１３】
システムおよび装置の更なる態様が、本明細書に開示される。上述した特徴および他の特徴ならびに本願の開示の利点が、以下の詳細な記載および添付図面から当業者に認識および理解されるであろう。
【図面の簡単な説明】
【００１４】
【図１】図１は、本願の開示に係るガイドワイヤーアセンブリの例示的な実施形態の概略図を示す。
【図２】図２は、本願の開示に係るガイドワイヤー容器の例示的な実施形態の分解図を示す。
【図３】図３は、本願の開示に係る接触ハウジングと接触部とを含む接触モジュールの例示的な実施形態の分解図を示す。
【図４】図４は、接触ハウジングに挿入された接触部を備えた、図３の接触ハウジングの線４−４に沿った断面図を示す。
【図５】図５は、接触モジュールに挿入された連結コネクタと、接触ハウジングに挿入された接触部とを備えた、図３の接触ハウジングの線４−４に沿った断面図を示す。
【図６】図６は、本願の開示に係る接触モジュールの別の例示的な実施形態を示す。
【図７】図７は、本願の開示に係る接触モジュールの他の別の実施形態を示す。
【図８】図８は、本願の開示に係る接触モジュールの更に他の別の例示的な実施形態を示す。
【図９】図９は、本願の開示に係るガイドワイヤー容器の別の例示的な実施形態を示す。
【図１０】図１０は、本願の開示に係るガイドワイヤー容器の他の別の例示的な実施形態を示す。
【図１１】図１１は、本願の開示に係るガイドワイヤー容器の他の別の例示的な実施形態を示す。
【図１２】図１２は、本願の開示に係るガイドワイヤー容器の他の別の例示的な実施形態を示す。
【００１５】
可能な限り、同じ参照符号が、添付図面全体に亘って同じ部品を表すように用いられるであろう。
【発明を実施するための形態】
【００１６】
図１は、ガイドワイヤーアセンブリ１００の例示的な実施形態を図示する。ガイドワイヤーアセンブリ１００は、インターフェースケーブル１０４を受容するように構成および配置された監視制御装置１０２を含む。インターフェースケーブル１０４は、遠心端１０５においてガイドワイヤー容器１０６に電気的に接続してよい。インターフェースケーブル１０４は、ガイドワイヤー容器１０６によりガイドワイヤー１０８と電気的に接続するように構成および配置される。ガイドワイヤー１０８は、端部１０７のセンサー１１０によって内部の状態を測定するために構成および配置される。インターフェースケーブル１０４は、監視制御装置１０２との電気通信のために構成されたプラグ１２０を更に含んでよい。または、インターフェースケーブル１０４は、端部１０３において監視制御装置１０２に直接、配線で接続（hard-wired）されてよく、または別の電気的接続手段が、用いられてもよい。
【００１７】
インターフェースケーブル１０４は、絶縁被覆を備えた任意の可撓性のある多導体遮蔽ケーブルであってよい。インターフェースケーブル１０４の遮蔽部分は、ガイドワイヤー容器１０６の遮蔽部分に接続されることが好ましい。インターフェースケーブル１０４は、電気通信信号がインターフェースケーブル１０４を通って監視制御デバイス１０２に供給されるために構成および配置される。ガイドワイヤー容器１０６は、ガイドワイヤー１０８の連結コネクタ１１２が、ガイドワイヤー容器１０８に取り外し可能に挿入されるために構成および配置される。連結コネクタ１１２は、複数の軸方向の導電部１１６と複数の軸方向の誘電部１１８とを含む。軸方向の導電部１１６および軸方向の誘電部１１８の数は、ガイドワイヤー容器１０６の内部の接触部の数に一致する。例示的な実施形態では、連結コネクタ１１２およびガイドワイヤー容器１０６の各々は、軸方向の導電部１１６を含む（別の実施形態では、より多い、またはより少ない軸方向の導電部１１６を備えてよいが）。連結コネクタ１１２は、皮下チューブとして表されるが、複数の軸方向の誘電部と複数の軸方向の導電部とを備えた任意の適切な装置であってもよい。
【００１８】
連結コネクタ１１２は、ガイドワイヤー容器１０６の開口部２０１に取り外し可能に挿入されるように構成される。ガイドワイヤー１０８の端部１０７のセンサー１１０は、人体（例えば、静脈内に）内に挿入されてよく、これによって人体内部からの測定結果が、電気信号としてガイドワイヤー容器１０６内のガイドワイヤー１０８を通って、監視制御装置１０２と電気的に通信しているインターフェースケーブル１０４に伝達できる。
【００１９】
ガイドワイヤー１０８のセンサー１１０は、バルーン付きカテーテル（balloon catheter）１１４の内部で、または当該技術分野で知られた他の形態で人体に挿入されてよい。人体内部にガイドワイヤー１０８のセンサー１１０を挿入する方法は、人体内部の状態の正確かつ一貫した測定を可能にすることが望ましい。そのようなものとして、センサー１１０は、少ない外部刺激で閉じた領域内に挿入されることが望ましい。例えば、センサー１１０は、大腿動脈内に挿入されてよい。図１の実施形態に図示するように、一旦ガイドワイヤー１０８が、所定の位置に挿入されると、カテーテル１１４は、ガイドワイヤー１０８上に挿入されてよい。
【００２０】
図２を参照して、ガイドワイヤー容器１０６は、遮蔽上部ハウジング２０２と遮蔽下部ハウジング２０４とによって形成された本体２００を含むコネクタである。遮蔽上部ハウジング２０２は、本体２００を形成して遮蔽下部ハウジング２０４に固定されるように配置され、ガイドワイヤー容器１０６の内部に取り付けられた要素を保護している。本体２００は、既知の技術である成形された相互接続装置（interconnection device）であってよい。
【００２１】
図２を更に参照して、ガイドワイヤー容器１０６は、開口部２０１を通るガイドワイヤー１０８を受容するように構成および配置され、遮蔽上部ハウジング２０２と遮蔽下部ハウジング２０４とによって部分的に形成できる。遮蔽下部ハウジング２０４は、バネ２０８と、カムアクチュエータ２１０と、カム２１２と、インターフェースケーブル１０４に電気的に接続できる接触モジュール３０２と、を受容できる。図２に図示するように、ガイドワイヤー１０８の連結コネクタ１１２は、ガイドワイヤー容器１０６に挿入できる。カムアクチュエータ２１０は、遮蔽下部ハウジング２０４の受容溝２２０に設置するように構成された支点２１８を含む。受容溝２２０は、支点２１８を受容するために構成および配置される。
【００２２】
連結コネクタ１１２が、ガイドワイヤー容器１０６に挿入される際、カムアクチュエータ２１０は、ユーザーにより係合でき、これによって連結コネクタ１１２を挿入するのに必要な力を減少または除去する。当業者が認識するであろうように、ガイドワイヤー容器１０６は、挿入力ゼロ（zero insertion force）コネクタであってよい。連結コネクタ１１２を挿入するのに必要な力の減少または排除は、連結コネクタ１１２を破損する（breaking or damaging）危険性を減少させる。係合したカムアクチュエータ２１０は、バネ２０８を圧縮し、カム２１２を回転させ、カム２１２のローブ（lobe）２１１を回転させる。ローブ２１１が回転すると、ローブ２１１は、接触モジュール３０２の接触部に係合して、接触モジュール３０２への連結コネクタ１１２の挿入を可能にする。連結コネクタ１１２が、接触モジュール３０２に完全に挿入されると、ユーザーは、カムアクチュエータ２１０への圧力を解放してよい。圧力の解放によって、バネ２０８が広がることができる。バネ２０８が広がると、カムアクチュエータ２１０が回転して、カム２１２を反対方向に回転させる。カム２１２が回転すると、カム２１２のローブ２１１が回転して、接触モジュール３０２（連結コネクタ１１２と電気的に通信している接触部を設置する）内の接触部から離れる。完全に挿入された連結コネクタ１１２によって多重分離信号（multiple separate signal）が、センサー１１０と接触部との間で伝達および受信できる。
【００２３】
図２は、エラストラマーのガイドシール２１４を含むガイドワイヤー容器１０６を更に図示する。ガイドシール２１４は、連結コネクタ１１２がガイドシール２１４を通って挿入されるために構成および配置されて、液体がガイドワイヤー容器１０６に入ることにより電気通信が途絶えることを防止する。ガイドシール２１４は、血または他の液体のような汚れがガイドワイヤー容器１０６に入ることを実質的に防止するように、連結コネクタの挿入の際に拡大するであろう、連結コネクタ１１２よりも僅かに小さい開口部を含むことが望ましい。加えて、ガイドシール２１４は、損傷を与えずに連結コネクタ１１２の挿入を可能にするように構成されるべきである。他の実施形態では、ガイドシールは、互いに隣接するように構成された上部および下部を有するワイパーであってよい。ワイパーは、連結コネクタの挿入のために構成された溝または開口部を備えた単一の一体要素であってよい。または、ワイパーは、互いに隣接して連結コネクタの挿入のために構成された分離要素を含んでもよい。当業者が認識するであろうように、上部および下部は、制限せずに、円盤、楔形のような部分およびブラシのような要素を形成する半円を含む任意の適した形状を有してよい。ガイドシールは、制限せずに、エラストラマー材料、発泡体、プラスティックおよび織物を含む任意の適した材料から成ってよい。加えて、または代わりに、ガイドシールは、連結コネクタの挿入の前に、ピンによって穴が開けられることを必要としてよい。
【００２４】
図３は、接触モジュール３０２の例示的な実施形態を図示する。図３に図示すように、接触モジュール３０２は、接触ハウジング２０６と接触部２１６とを含む。接触ハウジング２０６は、誘電体から成ってよい。接触部２１６は、導電体から成ってよい。接触ハウジング２０６は接触部２１６を保持するように構成および配置された溝３０４を含んでよい。接触ハウジング２０６は、上部３０８が接触ハウジング２０６に挿入されるために構成および配置されたガイド３０６を含んでもよい。加えて、接触部２１６は、圧着、クリッピング（clipping）またははんだ付けによって導電性ワイヤーを受容するために、そうでなければ端子３１０の導電性表面に導電性ワイヤーを取り付けるために、導電性表面を備えた端子３１０を含んでよい。端子３１０は、接触ハウジング２０６に挿入される際に、接触部２１６への横方向の支持を与えてもよい。図３に図示されるように、端子３１０は、接触部２１６が接触ハウジング２０６に挿入される際に、接触ハウジング表面３１２に係合する実質上の平面であってよい。
【００２５】
接触ハウジング２０６は、連結コネクタ１１２を受容するように構成された形状３１４を含んでよい。形状３１４は、接触ハウジング２０６の内部に連結コネクタ１１２を挿入する更なる容易さのために溝３１６を含んでよい。接触ハウジング２０６は、連結コネクタが接触ハウジング２０６を通って挿入できるように更に構成でき、接触部２１６と連結コネクタ１１２の軸方向の導電部１１６との間の電気的接触を確立する。形状３１４は、接触ハウジング２０６の少なくとも一部を通って延在するチャンネルであってよい。形状３１４は、連結コネクタ１１２が接触モジュール３０２に挿入できる範囲を制限しながら、全ての接触ハウジングに亘って延在してよく、または接触ハウジング２０６の内面により規定されてよい。
【００２６】
次に図４を参照して、接触モジュール３０２は、接触ハウジング２０６の内部に挿入された接触部２１６を含んでよい。接触部２１６の上部３０８は、曲がる（flex）ように構成および配置されてよい。上部３０８の屈曲性は、カム２１２（図２を参照されたい）のような機構により係合することによって、接触部２１６の末端部分４０６を実質的に垂直方向に動かすことを可能にする。カム２１２は、末端部分４０６に力を与えることによって接触部２１６の末端部分４０６に係合でき、それによって上部３０８を曲げる。上部３０８が曲がると、末端部分４０６が、形状３１４（図３を参照されたい）から現れて、連結コネクタを形状３１４に挿入できる。図５に図示するように、形状３１４は、連結コネクタを受容してよい。接触部２１６の末端部分４０６から離れる機構では、上部３０８が、反対方向に曲がり、接触部２１６が、連結コネクタに垂直力（normal force）を与える。屈曲性は、また、連結コネクタと接触モジュール３０２との間の密着した適合をもたらすように垂直力を可能にする。１つの実施形態では、連結コネクタは、接触ハウジング２０６および/または接触部２１６によって実質的に環状に支持および固定される。その支持は、部分的に、連結コネクタのために支持表面を備える、接触ハウジング２０６内の形状３１４によって与えられる。支持表面は、接触部２１６によって連結コネクタ１１２に与えられる垂直力と反対の方向に支持を与える。
【００２７】
図５を参照して、接触モジュール３０２の接触ハウジングは、接触部２１６を更に固定する。接触ハウジングは、接触部よりも僅かに大きいサイズで構成され、接触部の動きを（適用される部分が曲がることを除いて）実質的に防止するように配置された溝４０４を含んでよい。加えて、接触部２１６は、接触部２１６が接触ハウジングから取り外されるのを防止するように、保持形状４０８を含んでよい。
【００２８】
図６は、接触モジュール３０２の他の例示的な実施形態を図示する。図６の実施形態では、接触モジュール３０２は、プリント配線板（printed wiring board）５０６に固定された接触部５１６を備えたプリント配線板５０６を含む。プリント配線板５０６は、ハウジングタワー（図示せず）が穴５０４を通って挿入されるために構成および配置された穴５０４を含む。穴５０４と連結したハウジングタワーは、接触モジュール３０２を遮蔽下部ハウジング２０４に固定できる。接触部５１６は、可撓性のある上部５０８を有する単一の一体化導電帯（integrated conductive band）により形成される。接触部５１６の下部５０２は、プリント配線板５０６に固定されてよい。接触部５１６は、プリント配線板５０６の内部に固定されてよい。接触部５１６は、機械的な力、接着剤および/またははんだによって固定されてよい。
【００２９】
図７は、接触モジュール３０２の他の例示的な実施形態を図示する。図７の実施形態では、接触モジュール３０２は、接触部６１６を整列および受容するように構成された溝６０４を備えた構造である接触ハウジング６０６を含む。接触部６１６の下部６０１は、接触ハウジング６０６に固定されるために構成および配置される。接触部６１６は、機械的な力、接着剤および/またははんだによって固定されてよい。接触ハウジング６０６は、上部の形状６０２を更に含む。上部の形状６０２は、連結コネクタをガイド、固定および支持するように構成される。上部の形状６０２は、カムアクチュエータ２１０（図２を参照されたい）および/またはカム２１２（図２を参照されたい）のような対応するアクチュエータ（図示せず）に隣接してよい。接触部６１６は、可撓性のある上部６０８を備えた単一の一体化導電帯である。
【００３０】
図８は、接触モジュール３０２の他の例示的な実施形態を図示する。図８の実施形態では、接触モジュール３０２は、接触部７１６を受容するために構成された基板である接触ハウジング７０６を含む。図示するように、接触部７１６は、インターフェース適合ピン（interface fit pin）７０４によって固定され、超音波溶接されてよい。接触部７１６は、接触した誘電性シェル（contiguous dielectric shell）７０２によって部分的または全体的に固定できる。接触した誘電性シェル７０２は、接触部７１６によって与えられる垂直力に反して、連結コネクタに支持を与え得る。図示したように、接触部７１６は、導電ワイヤー（図示せず）を受容するために導電性表面を備えた端子７０３を含み得る。
【００３１】
図９は、ガイドワイヤー容器１０６の別の実施形態を図示する。図９の実施形態では、ガイドワイヤー容器１０６は、遮蔽上部ハウジング８０２と遮蔽下部ハウジング８０４とを含む。遮蔽上部ハウジング８０２は、遮蔽下部ハウジング８０４に固定されてよく、ガイドワイヤー容器１０６の内部に取り付けられた要素を保護する。遮蔽下部ハウジング８０４と遮蔽上部ハウジング８０２とは、誘電性材料から成る。ハウジング８０２、８０４の両方は、ガイドワイヤー（図示せず）と、連結コネクタ（図示せず）と、カム８１２と、バネ８０８と、インターフェースケーブル（図示せず）と電気的に通信している接触モジュール３０２と、を受容するように構成される。連結コネクタは、ガイドワイヤー容器１０６の内部に挿入されてよい。
【００３２】
図９を更に参照して、連結コネクタが、ガイドワイヤー容器１０６に挿入されて、カムアクチュエータ８１０が、手動で係合でき、これによって連結コネクタを挿入するのに必要な力を減少または除去する。連結コネクタを挿入するのに必要な力の減少または排除は、連結コネクタを破損する危険性を減少させる。係合したカムアクチュエータ８１０は、バネ８０８を圧縮する。バネ８０８が圧縮されると、カム８１２は、ハウジング８０２、８０４の両方の受容溝８２０に設置するように構成された支点８１８に沿って部分的に回転する。カム８１２が回転すると、カムアクチュエータ８１０は、接触部２１６に係合して、接触モジュール３０２への連結コネクタの挿入を可能にする。連結コネクタが接触モジュール３０２に完全に挿入されると、カムアクチュエータ８１０が離れることができ、バネ８０８が広がることができる。バネ８０８が広がると、カム８１２は反対方向に回転する。カム８１２が回転し、そして接触部２１６から離れると、接触部２１６が接触ハウジング２０６内の連結コネクタに係合でき、接触部２１６が連結コネクタと電気的に通信することができる。完全に挿入された連結コネクタによって多重分離信号がセンサーと接触部２１６との間で伝達および受信できる。加えて、カム８１２は、接触部２１６から離れるために使用できるタブ（tab）８０６を含んでよい。他の実施形態では、バネ８０８は含まれず、カム８１２のタブ８０６または他の機構が、接触部２１６から離れるように用いられる。更なる他の実施形態では、バネ８０８は含まれ、タブ８０６は含まれない。図９に示すように、カム８１２はボタンレバーであってよく、カムアクチュエータ８１０はボタンレバーアクチュエータ（button lever actuator）であってよい。
【００３３】
図１０は、ガイドワイヤー容器１０６の別の実施形態を図示する。図１０の実施形態では、ガイドワイヤー容器１０６は、遮蔽上部ハウジング９０２と遮蔽下部ハウジング９０４とを含む。遮蔽上部ハウジング９０２は、遮蔽下部ハウジング９０４に固定されてよく、ガイドワイヤー容器１０６の内部に取り付けられた構成要素を保護する。遮蔽上部ハウジング９０２と遮蔽下部ハウジング９０４とは、誘電性材料から成る。ハウジング９０２、９０４の両方は、ガイドワイヤー（図示せず）と、連結コネクタ（図示せず）と、カム９１２と、バネ９０８と、インターフェースケーブル（図示せず）と電気的に通信している接触モジュール３０２と、を受容するように構成される。
【００３４】
更に図１０を参照して、連結コネクタがガイドワイヤー容器１０６に挿入される場合、カムアクチュエータ９１０は、手動で係合でき、これによって連結コネクタを挿入するのに必要な力を減少または除去する。連結コネクタを挿入するのに必要な力の減少または排除は、連結コネクタを破損する危険性を減少させる。図１０に図示された実施形態では、カムアクチュエータ９１０は、カム９１２の突出部分である。係合したカム９１２は、バネ９０８を圧縮する。バネ９０８が圧縮されると、カム９１２は、ハウジング９０２、９０４の両方によって形成された受容溝９２０に設置するように構成された支点９１８に沿って回転する。カム９１２が回転すると、カム９１２は接触部２１６に係合して、接触モジュール３０２への連結コネクタの挿入を可能にする。連結コネクタが接触モジュール３０２に完全に挿入されると、カムアクチュエータ９１０は離れてよく、バネ９０８が広がることができる。バネ９０８が広がると、カム９１２は反対方向に回転する。カム９１２が回転し、そして接触部２１６から離れると、接触部２１６は、接触ハウジング２０６の連結コネクタに係合でき、接触部２１６が連結コネクタと電気的に通信することができる。完全に挿入された連結コネクタによって多重分離信号がセンサー（図示せず）と接触部２１６との間で伝達および受信できる。他の実施形態では、バネ９０８は含まれず、カム９１２のタブまたは他の機構は、接触部２１６が係合するために、押し下げられた状態を維持し、カムアクチュエータ９１０の代わりに接触部２１６から離れるように用いられる。更なる他の実施形態では、バネ９０８とタブ（またはカム９１２の他の機構）の両方が含まれる。加えて、カム９１２は、接触部２１６から離れるために使用できるタブ９０６を含んでよい。他の実施形態では、バネ９０８は含まれず、カム９１２のタブ９０６または他の機構が、接触部２１６から離れるように用いられる。更なる他の実施形態では、バネ９０８が含まれ、タブ９０６が含まれない。図１０に示すように、カム９１２はボタンレバーであってよく、カムアクチュエータ９１０はボタンレバーから突出するボタンレバーアクチュエータであってよい。
【００３５】
図１１を参照して、本願の開示の他の実施形態は、カム９５２が接触部２１６に係合した後に、カム９５２を取り外し可能に固定するために構成および配置されたラッチング（latching）部材９５０を含む。カムアクチュエータ９５４が押し下げられると、カム９５２は、上述したように接触部２１６に係合できる。接触部２１６が係合すると、カム９５２のラッチ留め具９５６が、ラッチング部材９５０に押し付けられる。図１１に示すように、ラッチング部材９５０とラッチ留め具９５６とは、角の有る（angled）対応する形状を有してよい。この角の有る対応する形状は、下側への力をカム９５２とラッチ留め具９５６とに（直接、または上述したようにカムアクチュエータを通って）与えることができる。ラッチ留め具９５６がラッチング部材９５０に接触すると、角の有る対応する形状によって、ラッチ留め具９５６は、ラッチング部材９５０の上に軸方向の力を与えることができる。ラッチング部材９５０に与えられた軸方向の力は、ラッチバネ９５８を圧縮する。ラッチ留め具９５６が、ラッチング部材９５０の角の有る対応する形状よりも下側に押された後、ラッチバネ９５８が広がって、ラッチング部材９５０を反対方向に軸方向に押す。この場所において、可聴のカチッとする音（audible clicking sound）が生じてよい。ラッチング部材９５０がラッチバネ９５８によって軸方向に、この反対方向に押されると、ラッチング部材９５０がカム９５２を固定し、カム９５２が接触部２１６に係合する。接触部２１６のこの連続した係合によって、ガイドワイヤー容器１０６のユーザーは、カムが接触部２１６から離れずにカムアクチュエータ９５４を取り外すことができる。上述したように、カム９５２が接触部２１６に係合すると、連結コネクタがガイドワイヤー容器１０６の内部に挿入できる。
【００３６】
図１１を再び参照して、連結コネクタが、接触モジュール９６２の内部に完全に挿入される場合、連結コネクタは、ラッチング部材９５０に軸方向の力を与える。ラッチング部材９５０に与えられた軸方向の力は、ラッチバネ９５８を圧縮し、ラッチング部材９５０を軸方向に動かす。１つの実施形態では、軸方向の力は、連結コネクタが接触ハウジングを軸方向に押し付けることができる形状３１４の端部に接触する連結コネクタによって与えられ得る。他の実施形態では、軸方向の力は、軸方向の力を与える機構を達成する連結コネクタによって与えられてよい。接触ハウジング全体を通って延在する形状を備えた更なる他の実施形態では、軸方向の力は、連結コネクタ１１２が全体の接触ハウジングを通って延在する場合に与えられ得る。図１１を参照して、ラッチング部材９５０が軸方向に動かされると、ラッチング部材９５０は、ラッチ留め具９５６を取り外して、カム９５２が接触部２１６から離れる。上述したように、カム９５２が接触部２１６から離れると、連結コネクタと接触部２１６とが電気的に通信することができる。この場所において、可聴のカチッとする音が生じてもよい。図１１に示すように、カム９５２は、ボタンレバーであってよく、カムアクチュエータ９５４は、ボタンレバーから突出するボタンレバーアクチュエータであってよい。
【００３７】
図１２は、ガイドワイヤー容器１０６の別の実施形態を示す。図１２の実施形態では、ガイドワイヤー容器１０６は、遮蔽上部ハウジング９７２と遮蔽下部ハウジング９７４とを含む。遮蔽上部ハウジング９７２は、遮蔽下部ハウジング９７４に固定されてよく、ガイドワイヤー容器１０６の内部に取り付けられた要素を保護する。遮蔽下部ハウジング９７４は、連結コネクタ１１２、カム９７６、異方性材料９７８およびプリント回路板９８０を受容するように構成される。
【００３８】
図１２によって図示された実施形態では、異方性材料９７８は複数の接触部として働き、プリント回路板９８０は接触ハウジングとして働く。当業者が認識するであろうように、異方性材料は、別の方向への圧縮とは対照的に、１つの方向への圧縮のための異なる効果を有した材料である。この異なる効果によって、材料が、垂直またはｚ軸に圧縮でき、導電性を与えることができる。異方性材料は、ｚ軸材料としても記載され、複数のワイヤー、ポリマー内の銀フレーク、成形した相互接続した粒子（molded particle interconnect）、マトリックス内に組み込まれた接触部を備えたインターポーザー（interposer）および/またはポリアミド圧縮シートを制限無しで含む。異方性材料９７８によって電気信号が圧縮部分に伝達され得る。圧縮部分は、圧縮部分の導電性領域を形成することによって、圧縮されない部分の誘電性を維持しながら、電気通信を可能にする。圧縮されない部分によって電気信号が伝達され得ない。図１２では、異方性材料９７８とプリント回路板９８０とが、接触モジュールを構成する。
【００３９】
図１２を参照して、連結コネクタ１１２が、ガイドワイヤー容器１０６に挿入される場合、カムアクチュエータ９８２は、手動で係合でき、これによって連結コネクタ１１２を挿入するのに必要な力を減少または除去する。連結コネクタ１１２を挿入するのに必要な力の減少または除去は、連結コネクタ１１２を破損する危険性を減少させる。係合したカムアクチュエータ９８２は、コレット９８６内のバネ９８４を圧縮する。バネ９８４が圧縮されると、ガイドワイヤー容器１０６の遮蔽下部ハウジング９７４の受容溝９９２を設置するように構成された支点９８８に沿って、カム９７６が部分的に回転する。カム９７６が部分的に回転すると、カム９７６は、コレット９８６に接続された固定機構９９０によって押し下げられた部分に固定される。押し下げられた部分では、カム９７６は、異方性材料９７８を圧縮する。異方性材料９７８は、連結コネクタ１１２を受容するためかつプリント回路板９８０によって受容されるように構成および配置される。１つの実施形態では、異方性材料９７８は、カム９７６が押し下げられる前に、連結コネクタ１１２をスライドして受容するように構成および配置された軸方向に延在するチャンネルを含む。カム９７６が押し下げされ、かつ連結コネクタ１１２が異方性材料９７８の内部に位置すると、連結コネクタ１１２の軸方向の導電部１１６からの電気信号は、プリント回路板９８０に伝達され得る。完全に挿入された連結コネクタ１１２によって多重分離信号をセンサー１１０とプリント回路板９８０との間で伝達および受信できる。図１２に示すように、カム９７６は、ボタンレバーであってよく、カムアクチュエータ９８２は、ボタンレバーから突出するボタンレバーアクチュエータであってよい。
【００４０】
図１２の実施形態では、連結コネクタ１１２が異方性材料９７８の内部に完全に挿入されると、カムアクチュエータ９８２が押し下げられる場合に、固定機構９９０が、カム９７６から離れ、そしてコレット９８６上のバネ９８４を広げ、これによってカム９７６はもはや異方性材料９７８に圧力を与えない。異方性材料９７８に圧力を与えない状態では、電気信号はプリント回路板９８０に伝達されない。
【００４１】
本願の開示は、好ましい実施形態を参照して記載されるが、様々な変形が為されてよく、均等物が、本願の開示の範囲から逸脱せずに本願の開示の要素に置換されてよいことが、当業者に理解されるであろう。例えば、実施形態を含むものとして開示された材料は、例示的であり、排他的ではない。加えて、多くの修正が、本願の開示の本質的な範囲から逸脱せずに本願の開示の技術に対して特定の条件または特定の材料に適合するように成される。従って、本願の開示は、本願の開示を実施するために熟考されたベストモードとして開示された特定の実施形態に制限されないことを意図されるが、本願の開示は、添付した特許請求の範囲の技術的範囲に含まれる全ての実施形態を含むであろうことを意図される。
【図１】
2012524975.tif 000003
【図２】
2012524975.tif 000004
【図３】
2012524975.tif 000005
【図４】
2012524975.tif 000006
【図５】
2012524975.tif 000007
【図６】
2012524975.tif 000008
【図７】
2012524975.tif 000009
【図８】
2012524975.tif 000010
【図９】
2012524975.tif 000011
【図１０】
2012524975.tif 000012
【図１１】
2012524975.tif 000013
【図１２】
2012524975.tif 000014
【国際調査報告】
2012524975.tif 000015
2012524975.tif 000016
2012524975.tif 000017